(57)【要約】【課題】  バッテリーの電源を最適に使用することができ、各モジュールによるバッテリーの電圧降下を予測して特定モジュールを動作させることができる移動通信端末機の電源運用方法を提供する。【解決手段】  移動通信端末機の電源運用方法は、使用者により特定モジュールが選択されると、該当モジュールを運用するための総消耗電流を確認する段階と、現在のバッテリーの供給可能電流を確認する段階と、前記２つの電流の大きさを比較することにより前記選択されたモジュールの動作可能可否を使用者に表示する段階と、を含む。【選択図】    図１
2005323360.tif 000002
【特許請求の範囲】
【請求項１】
使用者により特定モジュールが選択されると、該当モジュールを運用するための総消耗電流を確認する段階と、
現在のバッテリーの供給可能電流を確認する段階と、
前記２つの電流の大きさを比較することにより前記選択されたモジュールの動作可能可否を使用者に表示する段階と、
を含むことを特徴とする移動通信端末機の電源運用方法。
【請求項２】
前記モジュールを運用するための総消耗電流がバッテリーの供給可能電流より大きい場合、前記選択されたモジュールを直ちに動作させずに、使用不可であることを表示することを特徴とする請求項１に記載の移動通信端末機の電源運用方法。
【請求項３】
前記モジュールを運用するための総消耗電流がバッテリーの供給可能電流より小さい場合、前記選択されたモジュールを動作させることを特徴とする請求項１に記載の移動通信端末機の電源運用方法。
【請求項４】
前記モジュールを運用するための総消耗電流がバッテリーの供給可能電流より大きい場合、現在運用中の他のモジュールをオフした後に前記モジュールを使用しろとのことを表示することを特徴とする請求項１に記載の移動通信端末機の電源運用方法。
【請求項５】
前記運用中のモジュールは、優先順位に従ってオフされることを特徴とする請求項４に記載の移動通信端末機の電源運用方法。
【請求項６】
前記総消耗電流はメモリから各モジュールの消耗電流をリードすることにより確認されることを特徴とする請求項１に記載の移動通信端末機の電源運用方法。
【請求項７】
前記バッテリーの供給可能電流は、バッテリーの電圧を測定し、メモリから前記測定された電圧に対応する電流値をリードすることにより確認されることを特徴とする請求項１に記載の移動通信端末機の電源運用方法。
【請求項８】
前記表示する段階は、使用者に視覚的または聴覚的に表示する段階をさらに含むことを特徴とする請求項１に記載の移動通信端末機の電源運用方法。
【請求項９】
メモリから各モジュールの消耗電流をリードすることにより、特定モジュールを運用するための総消耗電流を計算する段階と、
バッテリーの電圧を測定した後、メモリから前記測定された電圧に対応するバッテリーの供給可能電流をリードする段階と、
前記総消耗電流がバッテリーの供給可能電流より大きい場合、前記特定モジュールを直ちに動作させずに該当モジュールの動作可能可否を使用者に通知する段階と、
を含むことを特徴とする移動通信端末機の電源運用方法。
【請求項１０】
前記特定モジュールの動作可能可否は、該当モジュールのオフ情報を示すことを特徴とする請求項９に記載の移動通信端末機の電源運用方法。
【請求項１１】
前記表示する段階は、使用者に視覚的または聴覚的な方法によって表示する段階をさらに含むことを特徴とする請求項９に記載の移動通信端末機の電源運用方法。
【発明の詳細な説明】
【技術分野】
【０００１】
本発明は、移動通信端末機に関し、特に、移動通信端末機のバッテリー電源を最適に運用する方法に関する。
【背景技術】
【０００２】
一般に、移動通信サービス事業者（Ｐｒｏｖｉｄｅｒ）は、使用者に無線インターネット接続、文字メッセージ及びマルチメディアメッセージの伝送及び無線オンラインゲームなどのサービスを提供し、移動通信端末機の製造社（Ｍａｋｅｒ）は、使用者に電話帳（Ｐｈｏｎｅ−ｂｏｏｋ）、メモ及びメッセージの作成、及びスケジュール管理などの付加サービスを提供する。
【０００３】
前記付加サービスを使用するためには、端末機内に該当サービス専用の機能部（モジュール）が備えられるべきである。例えば、無線通信のためのＲＦモジュール、映像撮影のためのカメラモジュール、映像及び文字の出力のためのＬＣＤモジュール、無線ＬＡＮ、ＦＭラジオ及びブルートゥース（Ｂｌｕｅｔｏｏｔｈ）などが端末機内に備えられる。
【０００４】
このように付加サービスの種類が多様になるにつれて、端末機内に備えられるモジュールの種類及び構成も複雑になり、よって、端末機が消耗する電流の量も増加するようになった。
【０００５】
移動通信端末機（以下、端末機と称する）の最大電力消耗のモジュールの１つは、カラー表示部（白黒表示部に比べて３倍の電力消耗）である。他の各モジュールも消耗電流の大きさは相異するが、所定大きさの電流を消耗する。各モジュールの電流によってバッテリーの電圧が所定電圧以下に低下する場合は、電源をオフすることで各モジュールの誤動作を防止する。
【０００６】
図２は、従来技術による移動通信端末機の電源運用装置を示すブロック図である。
【０００７】
図２に示すように、従来技術による移動通信端末機の電源運用装置は、応用回路モジュール（Ａｐｐｌｉｃａｔｉｏｎ  ｃｉｒｃｕｉｔ  ｍｏｄｕｌｅ）１０、電圧調整部２０、メイン回路（Ｍａｉｎ  ｃｉｒｃｕｉｔ）３０及びバッテリー４０から構成される。
【０００８】
応用回路モジュール１０は、少なくとも１つ以上のモジュール、例えば、ＲＦモジュール１１、ＦＭラジオ１２、無線ＬＡＮ１３、カメラモジュール１４、ブルートゥース１５及びＬＣＤモジュール１６などを含む。  
【０００９】
電圧調整部２０は、前記多数のモジュールにそれぞれ連結された多数のＬＤＯ調整器（Ｌｏｗ  ｄｒｏｐ  ｏｕｔｐｕｔ  ｒｅｇｕｌａｔｏｒ）から構成され、メイン回路３０の制御によってバッテリー４０の電圧レベルをドロップして各モジュールに提供する。  
【００１０】
メイン回路３０は、バッテリー４０の電圧をデジタル信号に変換するＡ／Ｄ変換部３１と、Ａ／Ｄ変換部３１の出力に基づいてバッテリー４０の電圧残量を確認してＬＤＯ調整器の動作を制御する制御部３２と、メモリ３３と、キーパッド３４と、オーディオ部３５と、を含む。  
【００１１】
以下、このように構成された移動通信端末機の電源運用装置の動作を説明する。
【００１２】
図２に示すように、現在移動通信端末機では、応用回路モジュール１０のモジュールにＬＤＯを連結して、各モジュールに必要な電源をバッテリー４０から供給する。各モジュールが正常に動作するためには所定電圧及び電流が必要であり、バッテリー４０が消耗されると、所定電圧及び電流を維持することができなくなる。
【００１３】
従って、メイン回路３０内の制御部３２は、Ａ／Ｄ変換部３１を通じてバッテリー４０の電圧を周期的にチェックし、図３に示すように、バッテリー４０の電圧が所定電圧（カットオフ電圧）（３．２Ｖ）以下に低下すると、無条件的に端末機をオフさせて誤動作を防止する。
【００１４】
しかしながら、バッテリー４０の電圧が所定電圧以下に低下するとき、端末機を無条件的にオフされると、以下のような問題点が発生する。
【００１５】
使用者がキーパッド３４を利用して特定モジュールを選択する場合（特定機能が選択される場合）、制御部３２は、モジュールイネーブル信号を出力して無条件的に該当モジュールをオンさせる。ここで、前記オンされたモジュールが電流消耗の少ないモジュールである場合は問題が発生しないが、前記オンされたモジュールが電流消耗の多いモジュールである場合は、バッテリー４０の電圧がカットオフ電圧（３．２Ｖ）以下に低下するため、端末機がオフされるという問題点が発生する。これは、制御部３２が前記選択されたモジュールによるバッテリー４０の電圧降下を予め予測しなかったため発生する。
【００１６】
例えば、ラジオを聞いている途中に電話通話をする場合、バッテリー４０の電圧が降下するため、端末機が動作中にオフされることがある。これは、ラジオを聞く場合は、少量の電流を消耗するＦＭラジオを使用するため、小幅の電圧降下が発生するが、電話通話をする場合は、大量の電流を消耗するＲＦモジュールを使用するため、大幅の電圧降下が発生し、よって、バッテリー４０の電圧がカットオフ電圧の以下に低下するからである。
【発明の開示】
【発明が解決しようとする課題】
【００１７】
従って、本発明の目的は、バッテリーの電源を最適に使用できる移動通信端末機の電源運用方法を提供することにある。
【００１８】
本発明の他の目的は、各モジュールによるバッテリーの電圧降下を予測して特定モジュールを動作させる移動通信端末機の電源運用方法を提供することにある。
【課題を解決するための手段】
【００１９】
このような目的を達成するために、本発明による移動通信端末機の電源運用方法は、使用者により特定モジュールが選択されると、該当モジュールを運用するための総消耗電流を確認する段階と、現在のバッテリーの供給可能電流を確認する段階と、前記２つの電流の大きさを比較することにより前記選択されたモジュールの動作可能可否を使用者に表示する段階と、を含む。
【００２０】
上記目的を達成するために、本発明は、例えば、以下の手段を提供する。
（項目１）
使用者により特定モジュールが選択されると、該当モジュールを運用するための総消耗電流を確認する段階と、
現在のバッテリーの供給可能電流を確認する段階と、
前記２つの電流の大きさを比較することにより前記選択されたモジュールの動作可能可否を使用者に表示する段階と、
を含むことを特徴とする移動通信端末機の電源運用方法。
（項目２）
前記モジュールを運用するための総消耗電流がバッテリーの供給可能電流より大きい場合、前記選択されたモジュールを直ちに動作させずに、使用不可であることを表示することを特徴とする項目１に記載の移動通信端末機の電源運用方法。
（項目３）
前記モジュールを運用するための総消耗電流がバッテリーの供給可能電流より小さい場合、前記選択されたモジュールを動作させることを特徴とする項目１に記載の移動通信端末機の電源運用方法。
（項目４）
前記モジュールを運用するための総消耗電流がバッテリーの供給可能電流より大きい場合、現在運用中の他のモジュールをオフした後に前記モジュールを使用しろとのことを表示することを特徴とする項目１に記載の移動通信端末機の電源運用方法。
（項目５）
前記運用中のモジュールは、優先順位に従ってオフされることを特徴とする項目４に記載の移動通信端末機の電源運用方法。
（項目６）
前記総消耗電流はメモリから各モジュールの消耗電流をリードすることにより確認されることを特徴とする項目１に記載の移動通信端末機の電源運用方法。
（項目７）
前記バッテリーの供給可能電流は、バッテリーの電圧を測定し、メモリから前記測定された電圧に対応する電流値をリードすることにより確認されることを特徴とする項目１に記載の移動通信端末機の電源運用方法。
（項目８）
前記表示する段階は、使用者に視覚的または聴覚的に表示する段階をさらに含むことを特徴とする項目１に記載の移動通信端末機の電源運用方法。
（項目９）
メモリから各モジュールの消耗電流をリードすることにより、特定モジュールを運用するための総消耗電流を計算する段階と、
バッテリーの電圧を測定した後、メモリから前記測定された電圧に対応するバッテリーの供給可能電流をリードする段階と、
前記総消耗電流がバッテリーの供給可能電流より大きい場合、前記特定モジュールを直ちに動作させずに該当モジュールの動作可能可否を使用者に通知する段階と、
を含むことを特徴とする移動通信端末機の電源運用方法。
（項目１０）
前記特定モジュールの動作可能可否は、該当モジュールのオフ情報を示すことを特徴とする項目９に記載の移動通信端末機の電源運用方法。
（項目１１）
前記表示する段階は、使用者に視覚的または聴覚的な方法によって表示する段階をさらに含むことを特徴とする項目９に記載の移動通信端末機の電源運用方法。
【発明の効果】
【００２１】
本発明は、各モジュールの消耗電流と現在供給可能な電流を比較してモジュールを最適状態に運用し得るため、バッテリーの電源を効果的に使用することができ、バッテリーの寿命を延長させることができるという効果がある。
【発明を実施するための最良の形態】
【００２２】
以下、図面を参照して本発明の望ましい実施形態を説明する。
【００２３】
本発明の基本概念は、現在バッテリーの供給可能な電流と各モジュールの消耗  電流を比較することにより、選択されたモジュールのオン／オフを決定することにある。
【００２４】
本発明による移動通信端末機の電源運用装置は、メモリ３３に貯蔵されるデータを除くと、図２に示す移動通信端末機の電源運用装置と同一である。
【００２５】
本発明は、テーブル１及びテーブル２に示すように、メモリ３３にバッテリーの電圧別に供給できる電流（カットオフ電圧以上を維持した状態で供給可能な電流）と各モジュールの消耗電流をテーブル形態に貯蔵する。  
【００２６】
【表１】
2005323360.tif 000003
【００２７】
【表２】
2005323360.tif 000004
従って、特定モジュールを駆動する場合、制御部３２は、テーブル１及びテーブル２に貯蔵された電流値を比較し、駆動しようするモジュール（または、モジュールの組み合わせ）の消耗電流がバッテリーの供給可能電流より小さい場合は、前記モジュールを駆動させ、供給可能電流より大きい場合は、該当モジュールの駆動不可のことを表示する。
【００２８】
以下、図１を参照して本発明の実施形態による移動通信端末機の電源運用方法を詳細に説明する。
【００２９】
使用者がキーパッド３４を利用して端末機の特定動作を選択すると、制御部３２は、該当動作を遂行する特定モジュールを選択する（Ｓ１００）。制御部３２は、メモリ３３のテーブル２から各モジュールの消耗電流をリードして前記選択されたモジュールを運用するための総消耗電流を計算し（Ｓ１１０）、Ａ／Ｄ変換器３１の出力値に基づいて現在バッテリー４０の電圧を感知した後、該感知したバッテリーの電圧に該当する供給可能電流をテーブル２からリードする（Ｓ１２０）。                          
【００３０】
前記２つの電流が全て確認されると、制御部３２は、前記モジュールを運用するための総消耗電流がバッテリー４０の供給可能電流より大きいか否かをチェックする（Ｓ１３０）。制御部３２は、前記総消耗電流がバッテリーの供給可能電流より小さい場合、ＬＤＯにイネーブル信号を出力して前記選択されたモジュールをオンさせ（Ｓ１４０）、前記総消耗電流がバッテリー４０の供給可能電流より大きい場合は、前記選択されたモジュールが使用不可能であることを表示する（Ｓ１５０）。
【００３１】
例えば、使用者が無線ＬＡＮ１３またはＦＭラジオ１２を使用し、バッテリー４０の電圧が３．４Ｖである場合、テーブル１及びテーブル２を参照すると、無線ＬＡＮ１３を使用する場合、バッテリー４０の供給可能電流は１００ｍＡであり、無線ＬＡＮ１３を運用するための総消耗電流は１８０ｍＡ［メイン回路（３０ｍＡ）＋無線ＬＡＮ（１６０ｍＡ）］である。反面、ＦＭラジオ１２を使用する場合、バッテリー４０の供給可能電流は１００ｍＡであり、ＦＭラジオ１２を運用するための総消耗電流は８０ｍＡ［メイン回路（３０ｍＡ）＋ＦＭラジオ（５０ｍＡ）］である。
【００３２】
従って、無線ＬＡＮ１３を使用する場合、制御部３２は、表示部（ＬＣＤ）に前記無線ＬＡＮ１３を使用することができないことを表示し、ＦＭラジオ１２を使用する場合は、直ちに前記ＦＭラジオを動作させる。  
【００３３】
また、選択されたモジュールの総消耗電流がバッテリー４０の供給可能電流より大きい場合、制御部３２は、使用中の他のモジュールを終了（ｏｆｆ）した後に現在選択されたモジュールを使用しろという案内メッセージを表示することもできる（Ｓ１４０）。この場合、動作中のモジュールの終了は、優先順位に基づいて順に行われる。
【００３４】
例えば、使用者がブルートゥース１５の使用中に電話を受け、バッテリー４０の電圧が３．５Ｖである場合、テーブル１及びテーブル２に示すように、バッテリー４０の供給可能電流は３００ｍＡであり、ブルートゥース１５とＲＦモジュール１１を運用するための総消耗電流は、３３０ｍＡ［メイン回路（３０ｍＡ）＋ブルートゥース（１００ｍＡ）＋ＲＦモジュール（２００ｍＡ）］である。
【００３５】
従って、ブルートゥース１５とＲＦモジュール１１を運用するための総消耗電流（３３０ｍＡ）がバッテリー４０の供給可能電流（３００ｍＡ）より大きいため、制御部３２は、ブルートゥース１５を終了してから電話を使用しろという案内メッセージを表示する。
【００３６】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００３７】
バッテリーの電源を最適に使用することができ、各モジュールによるバッテリーの電圧降下を予測して特定モジュールを動作させることができる移動通信端末機の電源運用方法を提供する。
【００３８】
移動通信端末機の電源運用方法は、使用者により特定モジュールが選択されると、該当モジュールを運用するための総消耗電流を確認する段階と、現在のバッテリーの供給可能電流を確認する段階と、前記２つの電流の大きさを比較することにより前記選択されたモジュールの動作可能可否を使用者に表示する段階と、を含む。
【図面の簡単な説明】
【００３９】
【図１】本発明による移動通信端末機の電源運用方法の実施形態を示すフローチャートである。
【図２】従来技術による移動通信端末機の電源運用装置を示すブロック図である。
【図３】バッテリーのカットオフ電圧を示す図である。
【符号の説明】
【００４０】
１０：応用回路モジュール
２０：電圧調整部
３０：メイン回路
４０：バッテリー
【図１】
2005323360.tif 000005
【図２】
2005323360.tif 000006
【図３】
2005323360.tif 000007